(57)【要約】【課題】和服を着る際に、美しく着る抜き衣紋着付けが一人でも容易に行うことができる着付け補助具を提供する。【解決手段】所定の高さと長さを成し、かつ柔軟に曲がる弾性板４を略Ｕ字状に曲げた帯基板６の曲げ部に、前記帯基板６と同じ程度の高さで、かつ断面形状が略水滴型を成す軸枕８と可動枕１０を形成し、該軸枕８と可動枕１０の下端部を連結して成る枕体を形成して成る前記軸枕８を、前記帯基板６の曲げ部に隙間を形成するように位置して連結固定した着付け補助具本体２を形成し、該着付け補助具本体２に、別体のクリップ３を組み合わせて成る和服の抜き衣紋着付け補助具１とする。【選択図】図１
2012016557.tif 000002
【特許請求の範囲】
【請求項１】
和服の抜き衣紋着付けができる補助具であって、所定の高さと長さを成し、かつ柔軟に曲がる弾性板を略Ｕ字状に曲げた帯基板の曲げ部に、前記帯基板と同じ程度の高さで、かつ断面形状が逆水滴型を成す軸枕と可動枕を形成し、該軸枕と可動枕の下端部を連結して成る枕体を形成して成る前記軸枕を、前記帯基板の曲げ部に隙間を形成するように位置して連結固定して成る着付け補助具本体を形成し、該着付け補助具本体に、別体のクリップを組み合わせて成る構成を特徴とする和服の抜き衣紋着付け補助具。
【請求項２】
前記する軸枕と可動枕内にクッションを収めて成る請求項１に記載する和服の抜き衣紋着付け補助具。
【請求項３】
前記する軸枕の内部に、芯板を入れて成る請求項１又は請求項２に記載する和服の抜き衣紋着付け補助具。
【請求項４】
前記する軸枕の上面中央に、目印突部を設けて成る請求項１から請求項３のいずれかの項に記載する和服の抜き衣紋着付け補助具。
【請求項５】
前記する帯基板が、布地または合成樹脂シートなどでカバーして成る請求項１から請求項４のいずれかの項に記載する和服の抜き衣紋着付け補助具。
【発明の詳細な説明】
【技術分野】
【０００１】  本発明は、女性が和服を一人で着る際に、首の後衿を引き下げて衿足を現す抜き衣紋着付けが容易に行える補助具に関する。
【背景技術】
【０００２】  従来、和服の抜き衣紋着付けを行う場合は、日々和服の着用に慣れた者であれば一人でも抜き衣紋の着付けも美しく仕上げられるが、慣れない者が一人では難しく人の手を借りることが多い。【０００３】  また、和服の着付け時に襟元が汗で濡れたり化粧が付いて汚れたりするのを防ぐための和服衿元の着付け時補整具なる技術もある（例えば、特許文献１参照）
【先行技術文献】
【０００４】
【特許文献１】特開２００９−４６７８９公報
【発明の概要】
【発明が解決しようとする課題】
【０００５】  従来、和服を大人の女性が美しく着付ける場合は、首の後ろの衿足に当たる部分の衿を引き下げて着る抜き衣紋着付けが一般的であるが、職業上、日々着なれている人は除いて、一般的には和服を一人で着ることは難しく、多くは他の人の手を借りているのが現状であるが、とりわけ後が見えにくい抜き衣紋着付けを一人で美しく着るのは難しい等の不便や欠点があった。【０００６】  また特開２００９−４６７８９公報に開示される技術は、和服を着る際に衿元に汗や化粧が付いて汚れるのを防ぐ補整具とするために、首周りを覆える吸水性の布に後衿を引き下げる衣紋型を取り付けた技術である。【０００７】  しかしこの補整具を用いて和服を着る際は、首周りを覆う布を和服の衿を覆うようにして装着することで着付けを行う際の汗や化粧で汚れるのを防ぐが、肝心の二つの衿部を覆う布が邪魔になってきれいに衿合わせが行えない。また、布に取り付けた衣紋型は単なる平板状の型を、襦袢や着物を着た後から衿後部に嵌めこむことで抜き衣紋着付けを行うが、衣紋型は平板状であるため襦袢や着物の内側にズレ込んでしまって、二つの衿をきれいに合わせた美しい抜き衣紋着付けを行うことは構成的にも難しい衿元の着付け補整具である。
【課題を解決するための手段】
【０００８】  本発明は従来の不便や欠点を解消するために、請求項１においては、所定の高さと長さを成し、かつ柔軟に曲がる弾性板を略Ｕ字状に曲げた帯基板の曲げ部に、前記帯基板と同じ程度の高さで、かつ断面形状が逆水滴型を成す軸枕と可動枕を形成し、該軸枕と可動枕の下端部を連結して成る枕体を形成して成る前記軸枕を、前記帯基板の曲げ部に隙間を形成するように位置して連結固定して成る着付け補助具本体を形成し、該着付け補助具本体に、別体のクリップを組み合わせて成る和服の抜き衣紋着付け補助具。【０００９】  請求項２においては、前記する軸枕と可動枕内にクッションを収めて成る和服の抜き衣紋着付け補助具とする。【００１０】  請求項３においては、前記する軸枕の内部に、芯板を入れて成る和服の抜き衣紋着付け補助具とする。【００１１】  請求項４においては、前記する軸枕の上面中央に、目印突部を設けて成る和服の抜き衣紋着付け補助具とする。【００１２】  請求項５においては、前記する帯基板が、布地または合成樹脂シートなどでカバーして成る和服の抜き衣紋着付け補助具とする。
【発明の効果】
【００１３】  本発明における抜き衣紋着付け補助具は、弾性を有する帯軸板をＵ字状に曲げた内側に、軸枕と可動枕の下部を連結した枕体の下端部を、前記帯基板の曲げ部に取り付けた着付け補助具本体にクリップを組み合わせたシンプルにしてユニークな抜き衣紋着付け補助具を提供する。【００１４】  その使い方は、軸枕と可動枕を備えた着付け補助具本体を、襦袢の衿の内側中央にクリップ留めしてから襦袢や着物を着るだけで、枕体の長さと広さに応じた好みの抜き衣紋着付けが一人でも容易にして美しく着付けられるので、他人の手を借りる気兼ねや面倒も無く使える従来には見られない抜き衣紋紋着付け補助具である。【００１５】  さらに、構成はシンプルであるので扱い易くコスト高要因も無いので、若い女性はもとより高齢者まで、気軽に和服の魅力を楽しめる着付け補助具となる。
【図面の簡単な説明】
【００１６】
【図１】本発明の抜き衣紋着付け補助具を示す一部を欠いた斜視図である。
【図２】本発明の着付け補助具本体のＡ−Ａ線拡大断面図である。
【図３】着付け補助具本体を示す底面図である。
【図４】本発明品を襦袢の衿にクリップで挟み留めた使用例前準備の参考図である。
【図５】本発明の着付け補助具の使用状態を示す参考図であり、抜き衿着付けをする状態の参考図である。
【発明を実施するための形態】
【００１７】  本発明による抜き衣紋着付け補助具を、図１に示す一部を欠いた斜視図と図２に示す着付け補助具本体のＡ−Ａ線拡大断面図、図３に示す着付け補助具本体の背面図及び図４〜５図に示す使用例参考図で説明する。
【００１８】  本発明による８抜き衣紋着付け補助具１は、首の衿足部に位置する着付け補助具本体２と、それを襦袢や着物の衿Ａに鋏止めるクリップ３とを一組とする。
【００１９】  まず抜き衣紋着付け補助具１は、襦袢の衿Ａの幅程度の高さ約４０ｍｍ程度で長さが約２６０ｍｍほどの帯状を成し、かつしなやかに曲げられる合成樹脂素材による弾性板４を布や合成樹脂シート等によるカバー５で覆って成る帯基板６を略Ｕ字状に曲げた帯板を形成する。尚、前記帯基板６は布地等で覆うことで肌触りよいものとするが、必ずしもカバー５で覆わなくてもよい。
【００２０】  次に、そのＵ字状に曲げ形成した前記帯基板６の内側に取り付ける枕体として、カバー５内部にクッション７を入れて、高さは前記帯基板６と同程度で、左右の長さは約９０ｍｍ、厚さ約２５ｍｍ程度を成し、かつ断面形状は図２に示すように逆水滴状を成す軸枕８の後部側に薄い芯板９を入れた軸枕８を形成する。
【００２１】  次に、その軸枕８の前部には、可動枕１０として、長さと厚みは前記軸枕８と略同形状で成るカバー５にクッション７入りとするが、その下部は前記軸枕８より細長く伸ばした逆水滴状の可動枕１０を形成し、その可動枕１０の下部と前記軸枕８の下端部を縫い合わせるか接着して成る連結部１１によって、可動枕１０は軸枕８を基点にして前後に可倒する枕体を形成する。
【００２２】  尚、前記する軸枕８と可動枕１０は首後部に位置する枕であるのでクッション７入りとするが、枕自体の素材が適度な硬さと肌触りが良く、かつ逆水滴状を成すものであればカバー５にクッション７を入れた枕体でなくてもよい。
【００２３】  以上のように形成した前記軸枕８と可動枕１０とで成る枕体を、前記する賂Ｕ字状に曲げた帯基板６の曲げ部に、前記軸枕８の芯板９側を奥に位置して後、その軸枕８と前記帯基板６が接する左右端部と上辺及び下辺を縫い合わせるか接着して成る連結部１１で固定すると、前記軸枕８と連結した可動枕１０の間は調節スペース１３を形成する着付け補助具本体２を形成し、その着付け補助具本体２に、別体のクリップ３を組み合わせて、本発明による抜き衣紋着付け補助具１を構成する。尚、前記クリップ３は、前記帯基板６の曲げ部に固定した軸枕８と帯基板６の間にできる隙間１４に鋏み留めるものである。
【００２４】  本発明による抜き衣紋着付け補助具１は、賂Ｕ字状を成す帯基板６の両端部は、ハの字状を成して内外側いずれにもしなやかに曲げられ、かつ可動枕１０は前後に動かして前記軸枕８との隙間幅は自在に調節できるので、和服を着た際の抜き衣紋の広さを任意に調節できるものとなる。
【００２５】  以上のような本発明品を用いて和服を着る際は、まず和服を着る下準備となる襦袢の衿Ａの後中央に着付け補助具本体２を位置してから、クリップ３で帯基板６の隙間１４と襦袢の衿Ａを挟み留めるが、好みの抜き衣紋の広さに調節したい場合は、前記する軸基板８と可動枕１０の間の調節スペース１３にテッシュかハンカチなどを差し入れることで好みの広さを決められる。
【００２６】  その上で、図５に示すように襦袢を着用して整えた後に、一旦クリップ３と着付け補助具本体２を取り外してから着物を羽織り前衿先の左右を揃えることで後中心を合わせるか、もしくはクリップ３のみ取り外してから、軸枕８の後中心の目印突部１２を目安にしてクリップ３で挟み留めて後も、本発明の着付け補助具本体２は着付け終了までそのまま着けておくなら、さらに襦袢と着物の後中心をきれいに合わせた好みの広さの美しい抜き衿着付けが一人でも容易に行える着付け補助具となる。
【００２７】  本発明の抜き衣紋着付け補助具１の枕体は、肌に優しいクッション７入りであるが、素材自体が肌触りの良いものであればクッション入りでなくても構わない。また帯基板６は所定の長さであるが、その両端部に結び紐を取り付けても構わず、いずれも特に限定するものではない。
【符号の説明】
【００２８】１  抜き衣紋着付け補助具
２  着付け補助具
３  クリップ
４  弾性板
５  カバー
６  帯基板
７  クッション
８  軸枕
９  芯板
１０  可動枕
１１  連結部
１２  目印突部
１３  調節スペース
１４  隙間
Ａ  襦袢の衿
【図１】
2012016557.tif 000003
【図２】
2012016557.tif 000004
【図３】
2012016557.tif 000005
【図４】
2012016557.tif 000006
【図５】
2012016557.tif 000007